(57)【要約】【課題】  柱状の反射材付標識に具備された反射材の汚れを人手によらず、弱い風力であっても自動的に軽減する、安全性が高く耐久性に優れた安価な装置を提供する。【解決手段】  柱状の反射材付標識に挿入された、風力により上下運動をして反射材の塵芥を掻き落とす環状スキージと、この環状スキージに対して下方より風を導くための傾斜面を設けてある脱落防止ストッパーを備えている事を特徴とする自動清掃装置により解決する。【選択図】図１
2009270417.tif 000002
【特許請求の範囲】
【請求項１】
柱状の反射材付標識に挿入された、風力により上下運動をする環状スキージと、この環状スキージの上下に設置された、横風を上方へと導くために内側から外側に向かって下方向に傾斜している面を持つ、環状スキージに揚力を与える目的と脱落防止を兼ねた傾斜面付き環状ストッパーからなる装置。
【請求項２】
環状スキージの下面に横からの風により揚力を発生させるための傾斜面を持つ、請求項１の装置。
【請求項３】
柱状の反射材付標識に挿入し、風力により上下運動をする環状スキージ。
【発明の詳細な説明】
【技術分野】
【０００１】  本発明は、柱状の反射材付標識に具備された反射材の汚れを、風力によって自動的に払拭し軽減する装置に関するものである。
【背景技術】
【０００２】  従来から、柱状の反射材付標識の反射材は、時間経過と共に粉塵や排気ガスが蓄積して標識の機能が低下していた。この現象を防ぐため、一定期間毎に人手により清掃を行うか、風力により反射材を払拭するための帯状テープを標識の上部に備え付けるか、風力によりブラッシングを行う風車型装置等の考案がなされていた。ただし、柱状の部分に他の標識等の突起物を取り付けた場合、それより下部にはこれらの装置は取付不可能なる。
【発明が解決しようとする課題】
【０００３】  従来の柱状の反射材付標識を人手により清掃する事は、作業にコストがかかる上、作業者や走行車両の事故を誘発させる危険を伴う。
【０００４】  また、既存の風力により反射材の汚れを払拭しようとする装置については、風力が強くなければ作動しにくいことに加え、装置自体が反射材を覆い隠してしまうことによる標識機能の低下や、装置によっては複雑な構造のため破損しやすい、製造コストが高い、さらには破損した装置の一部によって新たに事故を誘発する恐れが高いものであった。そして、取り付ける柱状の形態に突起物があると取り付けられないといった制限があった。よって、これらの問題を解決する事を課題とする。
【課題を解決するための手段】
【０００５】  この課題を解決するための請求項１の発明は、柱状の反射材付標識に風力による上下運動が可能な環状スキージと、この環状スキージに対し下方より風を導くための傾斜面を設けてある脱落防止ストッパーを備えた、柱状反射材付標識自動清掃装置である。
【０００６】  柱状標識に対し横から吹いてくる風を、上方に導く傾斜面を持つストッパーにより効果的に誘導し環状スキージを動かす事ができるため、弱い風でもスキージが上下運動できるため、反射材をまんべんなく払拭する事が出来る。
【０００７】  ストッパーは反射材を覆い隠さないように設置可能である。また、環状スキージは反射材を覆い隠す面積が従来の装置に比べ非常に少なく、構造が簡単なため故障や破損が少なく、耐久性が高く、製造コストも安くなる。さらに柱の上部を回転の支軸としていないため、柱に突起物があってもそれを避けての設置や、柱の任意の位置に設置することが可能となる。
【０００８】  また、請求項２の発明は、環状スキージが受ける横からの風が弱い場合でも、上昇しやすくするように、環状スキージの下面に傾斜面を備えた、請求項１の装置である。
【０００９】  請求項３は、柱状の反射材付標識に挿入し、風力でのスキージ上下運動で反射材の表面をスキージ内側エッジで満遍なく払拭することを可能とした環状のスキージである。
【発明の効果】
【００１０】  本発明の装置は、自然の風力あるいは走行する車両の風圧を利用して自動的に環状スキージを動かし、柱状反射材付標識の反射材の汚れを物理的に払拭することが出来るので、時間経過に伴う塵芥の付着蓄積により、標識の効果が減じていくことを自動的に防止あるいは抑制する効果が得られる。これにより標識の効果が持続し、さらに清掃にかかる経費、および作業時に発生する清掃作業者と現場を通過する運転者双方の危険を軽減すると同時に、清掃作業時に発生していた通行規制をも軽減すことができる。また、柱に突起物があってもそれを避けての設置や、柱の任意の位置に設置することが可能となるため、設置可能な部分が拡大する上、標識の機能も向上する。
【００１１】  本発明の装置は構造が簡易で軽量であるから、弱い風で十分に作動するので結果的に大変優れた清掃効果を得られることはもちろん、加えて故障や破損の少ない高い安全性と耐久性にも優れ、設置作業や取替え作業が簡単であり、仮に脱落、破損等が起こった場合においても、構成部品自体の構造や材質により、二次災害の発生率が極めて低いなどの効果まで併せ持つ。
【００１２】  また、これまでに考案されていた風力による自動清掃装置にくらべ、無風状態で装置が作動していない場合は装置が反射材を覆い隠すことがなく、作動状態においても反射材を隠す面積が非常に少ない。
【発明を実施するための最良の形態】
【００１３】  図１を使って説明する。柱状の反射材付標識１に環状スキージの下方より風を導くための傾斜面を設けたストッパー２を取り付け、この間に環状スキージ３を取り付ける。【００１４】  ストッパーの材質は伸縮性と耐久性のある合成樹脂が最良である。サイズは柱状の標識の直径よりやや小さい直径であって、挿入のしやすさと脱落のしにくさが両立する程度のものが望ましく材質やその他の条件に合わせながら決めればよい。おおまかには内径が標識の直径より１ミリから２ミリ小さく、外径は内径より３０ミリから６０ミリくらい大きく、肉厚は１０ミリから２０ミリくらいまでが適当である。
傾斜の角度は９０度を基準として調整するのが望ましいが、横からの風を上方へ導く角度なら特に角度の指定は必要なく、角度ならびに傾斜面を平面にするか曲面にするかはストッパーの材質や寸法および柱状標識のサイズ等に応じて決めればよい。【００１５】  環状スキージの材質は、無色透明で適度な柔軟性を有する合成樹脂を用いるのが最良である。サイズは内径が柱状の標識の直径より１０ミリから２０ミリくらい大きく、外径は内径より４０ミリから８０ミリ大きいくらいが適当である。【００１６】  厚みに関しては０．１ミリから１ミリくらいの間を理想とし、スキージ自体の材質や相手側の柱状標識の直径などとの関係によって決めればよい。【００１７】  環状スキージの内径は傾斜面付きストッパーの外径より小さいことが基本である。
【実施例】
【００１８】路上や路側、あるいは駐車場などに設置してある、柱状の反射材付標識の反射材の最上端の直上部と、下端の直下部、反射材が複数なら直下部毎に、風を上方に導く傾斜面を持つ環状ストッパーを挿入し、そのストッパーの間に風を受けて自由に上下運動を繰り返す環状スキージを装着する。
【産業上の利用可能性】
【００１９】  現在設置してある柱状の反射材付標識が設置してある路上や路側、あるいは駐車場など基本的に全て設置可能である。特に汚れの激しいトンネル内及び交差点付近、あるいは道幅が狭い見通しが悪い等、清掃作業が特に危険な場所にある標識への利用がもっとも有効である。大量生産が可能であるため、安全面での効果を考え広く普及されることが望ましい。
【図面の簡単な説明】
【００２０】柱状の反射材付標識１の反射材最上端の直上部、および各反射材の下端直下部毎に傾斜面付ストッパーを挿入し、このストッパーのあいだ毎に環状スキージを装着する。
【図１】  自動清掃装置リングスキージを柱状の反射材付標識に取り付けた側面図である。
【図２】  傾斜面付環状ストッパーの斜視図である。
【図３】  傾斜面付環状ストッパーを上から見た図である。
【図４】  傾斜面付環状ストッパーＡ−Ｂの断面図である。
【図５】  環状スキージの斜視図である。
【図６】  環状スキージを上から見た図である。
【図７】  環状スキージＣ−Ｄの断面図である。
【図８】  下面に揚力を発生させるための傾斜を持つ環状スキージの断面図である。
【符号の説明】
【００２１】１    柱状の反射材付標識
２    傾斜面付環状ストッパー
３    環状スキージ
４    反射材
【図１】
2009270417.tif 000003
【図２】
2009270417.tif 000004
【図３】
2009270417.tif 000005
【図４】
2009270417.tif 000006
【図５】
2009270417.tif 000007
【図６】
2009270417.tif 000008
【図７】
2009270417.tif 000009
【図８】
2009270417.tif 000010